(57)【要約】【課題】  空間の角隅部においても、音圧レベルの弱い視聴領域を生じさせず、側壁面、天井面及び角隅部に設置しても、部材点数を削減でき、製造コストを低減できるスピーカボックスを提供する。【解決手段】  截頭正八角錐の４分割形状を呈するスピーカボックス本体１１と、このスピーカボックス本体１１に嵌合する蓋体１２とからスピーカボックス１０を構成する。スピーカボックス本体１１は、スピーカ１を取付ける２つの台形状を呈するバッフル板１３ａ，１３ｂを連結したスピーカ取付板１３と、嵌合溝１９を形成した区画板１４ａと、突起部２０を形成した区画板１４ｂと、底面板１５と、から構成する。【選択図】  図１
2011061334.tif 000002
【特許請求の範囲】
【請求項１】
スピーカを取付ける２つの台形状を呈するバッフル板を連結したスピーカ取付板と、嵌合溝を形成した区画板と、突起部を形成した区画板と、底面板と、から構成した截頭正八角錐の４分割形状を呈するスピーカボックス本体と、このスピーカボックス本体に嵌合する蓋体と、から構成したことを特徴とするスピーカボックス。
【請求項２】
前記バッフル板同士の交差角度αは１３５°に、前記バッフル板と前記区画板との交差角度βは６７．５°に、前記区画板同士の交差角度は９０°に設定したことを特徴とする請求項１に記載のスピーカボックス。
【請求項３】
前記バッフル板と垂直面との交差角度γは１５〜４５°に設定することを特徴とする請求項１又は２に記載のスピーカボックス。
【請求項４】
前記２つの区画板の連結部にボス部を形成すると共に、このボス部に開口部を穿設したことを特徴とする請求項１乃至３に記載のスピーカボックス。
【請求項５】
一方のスピーカボックス本体の区画板の嵌合溝に他方のスピーカボックス本体の区画板の突起部を嵌入させ、截頭正八角錐の半割形状を呈するスピーカボックス本体を構成し、このスピーカボックス本体に蓋体を嵌合して構成したことを特徴とする截頭正八角錐の半割形状を呈するスピーカボックス。
【請求項６】
隣接するスピーカボックス本体の区画板の嵌合溝に隣接するスピーカボックス本体の区画板の突起部を嵌入させ、截頭正八角錐形状を呈するスピーカボックス本体を構成し、このスピーカボックス本体に蓋体を嵌合して構成したことを特徴とする截頭正八角錐形状を呈するスピーカボックス。
【発明の詳細な説明】
【技術分野】
【０００１】
本発明は、スピーカボックスに関し、特にマルチスピーカ構成を採用し音を広い視聴範囲にわたって放射させることができるスピーカボックスに関するものである。
【背景技術】
【０００２】
スピーカボックスとしては、通常断面形状が四角形、五角形等の多角形に形成され、その内部に所要個数のスピーカを組み込んだものが一般的である（例えば、特許文献１〜４参照）。
【０００３】
このうち、特に複数個のスピーカを収納して視聴領域を拡大させるようにしたスピーカボックスとしては、例えば図１１〜図１３に示すスピーカボックスが知られている。
図１１は、断面形状が正四角形のスピーカボックス５０内に、２つのスピーカ１Ａ，１Ｂを、その音響軸２Ａ，２Ｂを水平方向に９０°回転させて収納し、スピーカボックス５０の隣り合う２つのバッフル板３ａ，３ｂ（交叉角９０°）に取付けたものである。
図１２は、断面形状が正五角形のスピーカボックス６０内に、同じく２つのスピーカ１Ａ，１Ｂを、その音響軸２Ａ，２Ｂを水平方向に７２°回転させて収納し、隣り合う２つのバッフル板３ａ，３ｂ（交叉角１０５°）に取付けたものである。
図１３は、断面形状が正六角形のスピーカボックス７０内に、同じく２つのスピーカ１Ａ，１Ｂを、その音響軸２Ａ，２Ｂを水平方向に６０°回転させてスピーカボックス７０の隣り合う２つのバッフル板３ａ，３ｂ（交叉角１２０°）に取付けたものである。
ここで、スピーカ１Ａ，１Ｂとしては、水平方向の指向特性が６０°のものを使用している。
【０００４】
しかしながら、上記した従来のスピーカボックス５０，６０，７０においては、各スピーカ１Ａ，１Ｂから放射された音が重なり合わないため、両スピーカ１Ａ，１Ｂによる音場（音放射域）間に音の谷間（音圧レベルの弱い視聴領域）ができ、視聴位置が限定されるという問題があった。
すなわち、図１１に示すスピーカボックス５０の場合は、各スピーカ１Ａ，１Ｂから放射される音の音響軸２Ａ，２Ｂが９０°の角度をもって交差しているため、２つの音放射域４Ａ，４Ｂが重ならず、その間に音圧レベルの弱い視聴領域（斜線部）５Ａが生じる。
【０００５】
同様に、図１２及び図１３に示すスピーカボックス６０，７０においても、音圧レベルの弱い視聴領域（斜線部）５Ｂ，５Ｃが生じる。
【０００６】
そこで、本願の出願人は、かかる従来の問題点を解決するべく、比較的簡単な構造でありながら、音圧レベルの弱い視聴領域が生じることがなく、視聴領域を拡大することができる、図１４に示す截頭八角錐の半割形状を呈するスピーカボックス８０を開発した（特許文献５参照）。
【０００７】
このスピーカボックス８０を側壁面又は天井面に設置すると、隣り合うスピーカ１Ａ，１Ｂの音放射域４Ａ，４Ｂが互いに重なり合って、音圧レベルの弱い視聴領域が生じることがなく、スピーカボックス８１を中心とする球形又は半球形の１／２の音場を作り出すことができる。
【先行技術文献】
【特許文献】
【０００８】
【特許文献１】特開平１１−２２５３８９号公報
【特許文献２】特開２０００−０７８６８２号公報
【特許文献３】特開２０００−１２５３８１号公報
【特許文献４】特開平１１−９８５８８号公報
【特許文献５】特開２００６−３０４１８９号公報
【発明の概要】
【発明が解決しようとする課題】
【０００９】
しかしながら、スピーカボックスを設置する演劇場、映画館、宴会場、アスレチッククラブ等は、通常、略直方体状の空間であり、相当に大容積であるため、上記截頭八角錐形状を呈するスピーカボックス８０を中央部の天井面に設置しても、角隅部では、どうしても音圧レベルの弱い視聴領域が生じざるを得ない。
又、上記截頭八角錐の半割形状を呈するスピーカボックス８０によれば、側壁面又は天井面に設置するスピーカボックスを構成することができるが、角隅部に設置するスピーカボックスを別途用意しなければならず、３種類のスピーカボックスを構成するために、部材点数が多くならざるを得ず、製造コストを低減することはできなかった。
【００１０】
本発明は、このような問題点を解決するために為されたものであって、その目的とするところは、上記截頭八角錐形状を呈するスピーカボックスをさらに改良し、大容積である空間の角隅部においても、音圧レベルの弱い視聴領域を生じさせず、又、側壁面、天井面及び角隅部に３種類のスピーカボックスを設置しても、それらを構成する部材点数を削減でき、製造コストを低減することができるスピーカボックスを提供することにある。
【課題を解決するための手段】
【００１１】
上記目的を達成するために、本発明は、スピーカを取付ける２つの台形状を呈するバッフル板を連結したスピーカ取付板と、嵌合溝を形成した区画板と、突起部を形成した区画板と、底面板と、から構成した截頭正八角錐の４分割形状を呈するスピーカボックス本体と、このスピーカボックス本体に嵌合する蓋体と、からスピーカボックスを構成したことを特徴とする。
【００１２】
ここで、前記バッフル板同士の交差角度αは１３５°に、前記バッフル板と前記区画板との交差角度βは６７．５°に、前記区画板同士の交差角度は９０°に設定したことを特徴とする。
【００１３】
又、前記バッフル板と垂直面との交差角度γは１５〜４５°に設定するのが好ましい。
【図面の簡単な説明】
【００１４】
【図１】本発明のスピーカボックスの一実施形態の分解斜視図である。
【図２】図１に示すスピーカボックスの平面図である。
【図３】図１に示すスピーカボックスの側面図である。
【図４】図１に示すスピーカボックスを角隅部に設置した状態の水平方向断面図である。
【図５】図１に示すスピーカボックスを角隅部に設置した状態の垂直方向断面図である。
【図６】本発明のスピーカボックスを連結して構成した截頭八角錐の半割形状を呈するスピーカボックスの分解斜視図である。
【図７】図６に示すスピーカボックスを側壁面に設置した状態の水平方向断面図である。
【図８】本発明のスピーカボックスを連結して構成した截頭八角錐形状を呈するスピーカボックスの分解斜視図である。
【図９】図８に示すスピーカボックスを天井面に設置した状態の水平方向断面図である。
【図１０】本発明のスピーカボックスを天井面及び角隅部に設置した室内空間の透視斜視図である。
【図１１】従来の正四角形のスピーカボックスの音放射域を説明する図である。
【図１２】従来の正五角形のスピーカボックスの音放射域を説明する図である。
【図１３】従来の正六角形のスピーカボックスの音放射域を説明する図である。
【図１４】截頭八角錐の半割形状を呈するスピーカボックスの分解斜視図である。
【図１５】截頭八角錐の半割形状を呈するスピーカボックスを側壁面に設置した状態の水平方向断面図である。
【図１６】截頭八角錐形状を呈するスピーカボックスを天井面に設置した状態の水平方向断面図である。
【発明を実施するための形態】
【００１５】
以下、本発明のスピーカボックスの好適な実施形態について、図面を参照して詳細に説明する。
図１は、本発明のスピーカボックスの一実施形態の分解斜視図であり、図２は、その平面図、図３は、その側面図である。
【００１６】
本発明のスピーカボックス１０は、図１に示すように、スピーカボックス本体１１と蓋体１２とから構成してある。
【００１７】
スピーカボックス本体１１は、アルミニウム合金等の合金材料をダイキャスト成形することによって形成される。
スピーカボックス本体１１は、截頭正八角錐の４分割形状を呈するものであり、スピーカ１を取付ける２つの台形状を呈するバッフル板１３ａ，１３ｂを連結したスピーカ取付板１３と、区画板１４ａ，１４ｂと、底面板１５とから構成される。
【００１８】
バッフル板１３ａ，１３ｂは、上端部に段差部１６を形成するとともに、中央部に放音孔１７を形成してある。区画板１４ａ，１４ｂは、互いの連結部に円筒の４分割形状を呈するボス部１８を形成するとともに、区画板１４ａには嵌合溝１９を、区画板１４ｂには突起部２０を形成してある。
尚、ボス部１８の下端寄りには、適宜寸法の矩形状の開口部２１を穿設してある。
【００１９】
バッフル板１３ａ，１３ｂ同士の交差角度αは１３５°に、バッフル板１３ａと区画板１４ａとの交差角度βは６７．５°に、区画板１４ａ，１４ｂ同士の交差角度は９０°に設定してある。
又、バッフル板１３ａ，１３ｂと垂直面との交差角度γは１５〜４５°、特には、３０°に設定するのが好ましい。
【００２０】
蓋体１２は、アルミニウム合金等の合金材料から形成され、正八角形の４分割形状を呈するものである。
そして、蓋体１２は、バッフル板１３ａ，１３ｂの段差部１６に嵌合され、区画板１４ａ，１４ｂの上端面に載置され、スピーカボックス本体１１の開口部を密閉して、スピーカボックス１０を構成するようになっている。
【００２１】
次に、本発明のスピーカボックス１０を室内の角隅部に設置した状態の音響効果について説明する。
図４は、スピーカボックス１０を角隅部に設置した状態の水平方向断面図、図５は、角隅部に設置した状態の垂直方向断面図である。
【００２２】
スピーカボックス１０において、スピーカ１を駆動すると、スピーカ１から出た音は指向特性が６０°の角度をもって放射されるが、２つのスピーカ１，１から放射された音は何れも側壁面２，２と略平行に、斜め下方に進む。よって、天井面、側壁面に直ちに当たって反響することはなく、音響的な影響は少ない。
【００２３】
一方、２つのスピーカ１，１の音響軸３Ａ，３Ｂの交差角度は４５°となるので、２つのスピーカ１，１の音放射域Ｒ１，Ｒ２は点Ｐ１で交差して重なり合い、その重畳領域Ｘ１においては、音圧レベルが若干増幅されることになる。よって、音圧レベルの弱い音場が生じず、視聴領域を拡大することができる。
【００２４】
又、図４に示すように、スピーカボックス１０を角隅部に設置した時、ボス部１８と角隅部とによってパイプ状の空間が画成されると共に、ボス部１８には矩形状の開口部２１が穿設されているから、この開口部２１がバックロードホーンのような機能を果たし、低音域の音がこの開口部２１を通過して放射され、低音域の再生効率が高く、切れの良い音が得られる。
【００２５】
次に、本発明のスピーカボックス１０を２つ連結して、截頭八角錐の半割形状を呈するスピーカボックス３０を構成する場合について説明する。
図６は、本発明のスピーカボックス１０を連結して構成した截頭八角錐の半割形状を呈するスピーカボックス３０の分解斜視図、図７は、スピーカボックス３０を側壁面に設置した状態の水平方向断面図である。
【００２６】
スピーカボックス本体１１の区画板１４ａには嵌合溝１９を、区画板１４ｂには突起部２０を形成してあるから、一方のスピーカボックス本体１１の区画板１４ｂと他方のスピーカボックス本体１１の区画板１４ａとを当面させ、突起部２０を嵌合溝１９に嵌入させれば、図６に示すような截頭八角錐の半割形状を呈するスピーカボックス本体３１を構成することができる。
【００２７】
蓋体は、２つの蓋体１２を連結して構成することができるが、剛性及び組立性を考慮すれば、図６に示すような、正八角形の半割形状を呈する１枚板からなる蓋体３２を採用するのが好ましい。
蓋体３２をバッフル板１３ａ，１３ｂの段差部１６に嵌合し、区画板１４ａ，１４ｂの上端面に載置して、スピーカボックス本体３１の開口部を密閉すれば、スピーカボックス３０を構成することができる。
【００２８】
次に、スピーカボックス３０を室内の側壁面に設置した状態の音響効果について、図７を参照して説明する。
【００２９】
スピーカボックス３０において、スピーカ１を駆動すると、スピーカ１から出た音は指向特性が６０°の角度をもって放射されるが、左右両側に位置するスピーカ１，１から放射された音は、何れも側壁面２と略平行に、斜め下方に進む。よって、天井面、側壁面に直ちに当たって反響することはなく、音響的な影響は少ない。
【００３０】
隣接する２つのスピーカ１，１の音響軸３Ａと３Ｂ、３Ｂと３Ｃ、３Ｃと３Ｄの交差角度は４５°となるので、隣接する２つのスピーカ１，１の音放射域Ｒ１とＲ２、Ｒ２とＲ３、Ｒ３とＲ４は点Ｐ１，Ｐ２，Ｐ３で交差して重なり合い、その重畳領域Ｘ１，Ｘ２，Ｘ３においては、音圧レベルが若干増幅されることになる。よって、音圧レベルの弱い音場が生じず、視聴領域を拡大することができ、半球形の略１／２の音場を形成することができる。
【００３１】
次に、本発明のスピーカボックス１０を４つ連結して、截頭八角錐形状を呈するスピーカボックス４０を構成する場合について説明する。
図８は、本発明のスピーカボックス１０を連結して構成した截頭八角錐形状を呈するスピーカボックス４０の分解斜視図、図９は、スピーカボックス４０を天井面に設置した状態の水平方向断面図である。
【００３２】
スピーカボックス本体１１の区画板１４ａには嵌合溝１９を、区画板１４ｂには突起部２０を形成してあるから、隣接するスピーカボックス本体１１の区画板１４ｂと区画板１４ａとを当面させ、突起部２０を嵌合溝１９に嵌入させれば、図８に示すような截頭八角錐形状を呈するスピーカボックス本体４１を構成することができる。
【００３３】
蓋体は、４つの蓋体１２を連結して構成することができるが、剛性及び組立性を考慮すれば、図８に示すような、正八角形状を呈する１枚板からなる蓋体４２を採用するのが好ましい。
蓋体４２をバッフル板１３ａ，１３ｂの段差部１６に嵌合し、区画板１４ａ，１４ｂの上端面に載置して、スピーカボックス本体４１の開口部を密閉すれば、スピーカボックス４０を構成することができる。
【００３４】
次に、スピーカボックス４０を室内の天井面に設置した状態の音響効果について、図９を参照して説明する。
【００３５】
スピーカボックス４０において、スピーカ１を駆動すると、スピーカ１から出た音は指向特性が６０°の角度をもって放射されるが、斜め下方に進む。よって、天井面に直ちに当たって反響することはなく、音響的な影響は少ない。
【００３６】
隣接する２つのスピーカ１，１の音響軸３Ａと３Ｂ、・・・の交差角度は４５°となるので、隣接する２つのスピーカ１，１の音放射域Ｒ１とＲ２、・・・は点Ｐ１，・・・で交差して重なり合い、その重畳領域Ｘ１，・・・においては、音圧レベルが若干増幅されることになる。よって、音圧レベルの弱い音場が生じず、視聴領域を拡大することができ、半球形の音場を形成することができる。
【００３７】
以上のように、本発明のスピーカボックス１０は、截頭正八角錐の４分割形状を呈するものであり、区画板１４ａ，１４ｂ同士の交差角度を９０°に設定したから、室内空間の角隅部に好適に設置することができる。
そして、バッフル板１３ａ，１３ｂ同士の交差角度αを１３５°、バッフル板１３ａと区画板１４ａとの交差角度βを６７．５°、バッフル板１３ａ，１３ｂと垂直面との交差角度γを３０°に設定したから、スピーカ１，１から放射された音は何れも側壁面２，２と略平行に、斜め下方に進み、天井面、側壁面に直ちに当たって反響することはなく、音響的な影響は少ない。
又、２つのスピーカ１，１の音放射域Ｒ１，Ｒ２は交差して重なり合い、その重畳領域Ｘ１においては音圧レベルが若干増幅されることになるから、音圧レベルの弱い音場が生じず、視聴領域を拡大することができる。
【００３８】
本発明のスピーカボックス１０は、截頭正八角錐の４分割形状を呈するものであり、区画板１４ａには嵌合溝１９を、区画板１４ｂには突起部２０を形成してあるから、隣接するスピーカボックス本体１１の区画板１４ｂと区画板１４ａとを当面させ、突起部２０を嵌合溝１９に嵌入させれば、截頭八角錐形状及びその半割形状を呈するスピーカボックス本体４１，３１を簡単に構成することができる。
よって、角隅部に設置するスピーカボックスを別途用意する必要はなく、側壁面、天井面及び角隅部に設置できる３種類のスピーカボックス１０，３０，４０を構成するための部材点数を削減することができ、製造コストを大幅に低減することができる。
そして、側壁面、天井面及び角隅部に３種類のスピーカボックス１０，３０，４０を設置すれば、略直方体状の相当に大容積な空間であっても、中央部、側壁部及び角隅部の何れにおいても、音圧レベルの弱い視聴領域を生じさせないことができる。
【符号の説明】
【００３９】
１  スピーカ
１０  スピーカボックス
１１  スピーカボックス本体
１２  蓋体
１３  スピーカ取付板
１３ａ，１３ｂ  バッフル板
１４ａ，１４ｂ  区画板
１５  底面板
１８  ボス部
１９  嵌合溝
２０  突起部
２１  開口部
３０  スピーカボックス
３１  スピーカボックス本体
３２  蓋体
４０  スピーカボックス
４１  スピーカボックス本体
４２  蓋体
【図１】
2011061334.tif 000003
【図２】
2011061334.tif 000004
【図３】
2011061334.tif 000005
【図４】
2011061334.tif 000006
【図５】
2011061334.tif 000007
【図６】
2011061334.tif 000008
【図７】
2011061334.tif 000009
【図８】
2011061334.tif 000010
【図９】
2011061334.tif 000011
【図１０】
2011061334.tif 000012
【図１１】
2011061334.tif 000013
【図１２】
2011061334.tif 000014
【図１３】
2011061334.tif 000015
【図１４】
2011061334.tif 000016
【図１５】
2011061334.tif 000017
【図１６】
2011061334.tif 000018